(57)【特許請求の範囲】
【請求項１】
釣竿本体に装着される釣竿用グリップであって、
前記釣竿本体の外周に沿って配置され、軸方向端部に鍔部を有するグリップベースと、
このグリップベース外周部に配置され、内部に流体を充填するための空洞を有するグリップ本体と、
前記空洞に流体を注入する流体注入手段と、
を備えた釣竿用グリップ。
【請求項２】
釣竿本体に装着される釣竿用グリップであって、
前記釣竿本体の外周に沿って配置され、軸方向端部に鍔部を有するグリップベースと、
このグリップベース外周部に配置され、内部に流体を充填するための空洞を有するグリップ本体と、
前記空洞に充填された流体の量を調整する流体調整手段と、
を備えた釣竿用グリップ。
【請求項３】
釣竿本体に装着される釣竿用グリップであって、
前記釣竿本体の外周に沿って配置され、軸方向端部に鍔部を有するグリップベースと、
このグリップベース外周部に配置され、内部に流体を充填するための空洞を有するグリップ本体と、
前記空洞内部に設けられた流体発生手段と、
を備えた釣竿用グリップ。
【請求項４】
釣竿本体に他の部分に比較して大径に形成されるとともに、外周部に流体充填用の環状の空洞を有するグリップ部と、
前記空洞内をシールしながら前記グリップ部を覆う筒状のグリップカバーと、
を備えた釣竿用グリップ構造。
【発明の詳細な説明】
【０００１】
【発明の属する技術分野】
本発明は、釣竿本体に装着される釣竿用グリップ及びその構造に関する。
【０００２】
【従来の技術】
釣竿の手元側には、釣竿を保持するためのグリップが設けられている。このグリップは、別途成形したものを竿本体にはめ込むタイプのものと、竿本体と一体成形されるタイプのものがある。グリップはユーザが握ったときの感覚が非常に重要であり、このため、様々な材料が用いられ、また様々な形状が施され、弾力性・フィット感をユーザに提供できるように成形されている。具体的には、ウレタンゴム、天然コルク、及び塩化ビニル等の合成樹脂製弾性体などを滑りにくい形状に成形したグリップが提供されている。
【０００３】
【発明が解決しようとする課題】
従来のように、所望の釣竿用グリップの弾力性・フィット感を（以下、弾性力等と略す。）合成樹脂のみでユーザに提供するには限界がある。すなわち、画一的に合成樹脂でグリップを作成すれば、弾力性等はその合成樹脂の性質にのみ依存することになる。釣竿のグリップの弾力性等の善し悪しは、その釣竿を使用するユーザの好みに左右されるものであるが、従来の釣竿では、弾性力等の調整が非常に困難であり、個々のユーザの求める弾力性等を備えた釣竿を提供することができない。
【０００４】
例えば、ユーザによっては、弾力性のあるグリップを好む者もいれば、弾力性のないグリップを求める者もいる。また女性のユーザは、手の大きさが小さいため、男性が使用する場合に比べて細身の把持部を好む場合がある。
【０００５】
本発明の課題は、合成樹脂等の材料に依存せずに十分な弾性力等を有する釣竿用グリップ及びその構造を提供することにある。
【０００６】
本発明の別の課題は、個々のユーザが自己の好みに応じて弾力性を調整できる釣竿用グリップ及びその構造を提供することにある。
【０００７】
本発明のさらに別の課題は、個々のユーザが自己の好みに応じて変形し使用できる釣竿用グリップ及びその構造を提供することにある。
【０００８】
【課題を解決するための手段】
発明１に係る釣竿用グリップは、釣竿本体に装着されるものであって、釣竿本体の外周に沿って配置され軸方向端部に鍔部を有するグリップベースと、グリップベース外周部に配置され内部に流体を充填するための空洞を有するグリップ本体と、空洞に流体を注入する流体注入手段とを備えている。
【０００９】
この場合には、釣竿本体にグリップベースが装着されるとともにグリップベースにグリップ本体が装着される。そして、グリップ本体の空洞内部に充填される流体の量や種類、あるいはその圧力等を調整することにより、グリップ本体の材質のみに左右されることなく、グリップの弾力性等を所望の特性に調整できる。
【００１０】
また、流体注入手段によって空洞内に流体を任意に注入してグリップの弾性力等を変化させることができ、ユーザの好みに応じてグリップの弾力性等を自在に調整できる。
【００１１】
発明２に係る釣竿用グリップは、釣竿本体に装着されるものであって、釣竿本体の外周に沿って配置され軸方向端部に鍔部を有するグリップベースと、グリップベース外周部に配置され内部に流体を充填するための空洞を有するグリップ本体と、空洞に充填された流体の量を調整する流体調整手段とを備えている。
【００１２】
この場合には、流体調整手段によって空洞内部の流体の量を調整できるので、個々のユーザが自己の好みに応じてグリップの弾力性を変化させることができる。また、空洞内の流体の量を調整しその体積を変化させることができ、結果として、形状を変化させることができる。
【００１３】
発明３に係る釣竿用グリップは、釣竿本体に装着されるものであって、釣竿本体の外周に沿って配置され軸方向端部に鍔部を有するグリップベースと、グリップベース外周部に配置され内部に流体を充填するための空洞を有するグリップ本体と、空洞内部に設けられる流体発生手段とを備えている。
【００１４】
ここで、流体発生手段としては、例えば二種類以上の化合物を混入することが考えられる。これらの化合物を空洞内に収納しておき、必要に応じて外部から押しつぶし、混ぜ合わせることによって、空洞内にガスを充填させることができる。この場合には、粉末の量を調整することによって、空洞内の圧力を調節でき、結果的に弾性力等を調整できる。
【００１５】
発明４に係る釣竿用グリップ構造は、釣竿本体に他の部分に比較して大径に形成されるとともに外周部に流体充填用の環状の空洞を有するグリップ部と、空洞内をシールしながらグリップ部を覆う筒状のグリップカバーとを備えている。
【００１６】
【発明の実施の形態】
［第１実施形態］
以下、本発明の第１実施形態について図を参照しながら説明する。
【００１７】
図１において、手元竿１０は、竿本体１１と、竿本体１１の外周に配置された前グリップ１２と、手元側の端部に配置された竿元グリップ１３とを有している。また前グリップ１２と竿元グリップ１３との間には、リールを装着するためのリールシート１４が設けられている。竿本体１１は、例えば炭素繊維の強化繊維に樹脂を含浸させたシート状プリプレグをマンドレルに巻回して成形された筒状のものであり、先端が細いテーパ形状である。
【００１８】
図２において、前グリップ１２は、竿本体１１の外周面に嵌め込まれた硬質のベース部２０と、ベース部２０の外周面に配置され内部に流体を蓄えるための空洞２１を有する環状のチューブ（グリップ本体）２２とを有している。
【００１９】
ベース部２０は、ＰＥＴ（Poly ethylene terephtalate）、ＡＢＳ（Acrylonitrile-Butadiene-Styrene resin)等の樹脂を成形加工して得られた円筒状の部材であり、その軸方向の両端に鍔部２０ａ，２０ｂとを有している。
【００２０】
チューブ２２は、加硫ゴムや、ウレタンゴム等のゴム弾性体を押し出しシート状に伸ばしたものを複数枚組み合わせて成形されている。その上にナイロン等の合成繊維を均等に巻いて補強し、さらにその上にゴムシートを被せて耐久性等を向上させ、内部や外部から加圧された状況においても耐えうるものとなっている。内部の空洞２１に充填する流体としては、空気、窒素、ヘリウム等の気体、ゲル状の半流動体、または水等の液体を用いることができる。
【００２１】
チューブ２２の竿元側の端部には、チューブ２２内に流体を出し入れするための注入部材２３が設けられている。この注入部材２３は、軟質ゴム等の弾性体を成形加工した円筒状の部材であり、その中心線に沿って通路２４を有している。そしてこの注入部材２３はベース部２０の鍔部２０ｂ上に設けられた切欠き部に支持されている。
【００２２】
竿元グリップ１３は、図３に示すように、竿本体１１の竿尻にはめ込まれた蓋付き円筒部材である。前グリップ１２と同様に、竿本体１１の周面にはめ込まれた硬質のベース部３０と、ベース部３０の外周面に配置され内部に流体を蓄えるための空洞３１を備えたチューブ３２とを有している。またチューブ３２の竿元側の端部には、空洞３１内の流体を出し入れするための注入部材３３が設けらている。そしてこの注入部材３３の中心部には通路３４が形成されている。
【００２３】
注入部材２３，３３は、軟質ゴム等の弾性体であり通常は通路２４，３４をふさいでいる。このため空洞２１，３１内の流体が外部に排気されることはない。ユーザは、前グリップ１２，１３を握った場合の弾性力が適当でないと感じた場合、図４に示すような流体注入出器４０を利用して、空洞２１，３１内の流体量を調整することができる。
【００２４】
流体注入出器４０は、図４に示すように、注射器状のものであり、流体を収納するシリンダ４１と、シリンダ４１内に挿入されシリンダ４１内の流体に圧力をかけるピストン４２と、シリンダ４１の前方に配置された針状の注出入針４３とを有している。
【００２５】
この流体注入器４０を用いて例えば前グリップ１２の弾力性等を調整する場合を以下に説明する。
【００２６】
前グリップ１２が柔らかい、または細いと感じる場合には、流体注入器４０のシリンダ４１内に必要な流体を入れ、注出入針４３を注入部材２３の通路２４に差し込む。前述のように注入部材２３は軟質弾性体製であり、注出入針４３は通路２４を広げて空洞２１へ至る。この状態でピストン４２に圧をかけてシリンダ４１内の流体を注出入針４３を介して空洞２１内に注入する。これにより、前グリップ１２内部の圧力を高くなり、弾性力が堅くなるとともに、前グリップ１２を握ったときの径が太くなる。
【００２７】
一方、前グリップ１２が硬い、または太いと感じる場合には、前記シリンダ４１内に流体を入れることなく注出入針４３を注入部材２３の通路２４に差し込む。そして、ピストン４２を引くことによって注出入針４３を介して空洞２１内の流体をシリンダ４１内に取り込む。これにより前グリップ２１内の圧力が低くなり、前グリップ１２を握ったときの感覚が柔らかく、かつ細目のグリップとなる。
【００２８】
なお、竿元グリップ１３についても、前グリップ１２と同様にして内部の流体の量を調整できる。
【００２９】
この第１実施形態に係る釣竿グリップでは、前グリップ１２および竿元グリップ１３の内部に流体を密封し加圧した状態で蓄え、流体注入出器４０により流体の量を調整して内部圧力を変化できるようにしたので、ユーザが自己の好みに応じて前グリップ１２等の形状や弾力性を調整できる。
【００３０】
［第２実施形態］
以下、本発明の第２実施形態について図面を参照しつつ説明する。
【００３１】
第２実施形態に係る釣竿用グリップは、注入部材２３の代わりにポンプ部５０および排気栓５５が設けられたことを除いて第１実施形態と同様である。
【００３２】
なお、本第２実施形態では前グリップ１２内の流体として空気を用いている。
【００３３】
図５に示すように、ポンプ５０は、前グリップ１２の竿先部分（図５の左側）に配置され、チューブ２２と一体成形される。ポンプ部５０は内部に空間５１を有しており、第１空気弁５２と第２空気弁５３とを有している。
【００３４】
空間５１は、第１空気弁５２及び第１通路５０ａを介して外部と、第２通路５０ｂ及び第２空気弁５３を介して前グリップ１２内の空洞２１と連通している。第１空気弁５２は空間５１方向に向かってのみ開き、空気は外部から空間５１に向かってのみ流入する。また第２空気弁５３は空洞２１方向に向かってのみ開き、空気は空間５１から空洞２１に向かってのみ流出する。
【００３５】
また、チューブ２２の竿元側の外周部には、空洞２１内の空気を排気するための排気栓５５が設けられている。
【００３６】
この実施形態において、前グリップ１２内の気圧を調節する手順を説明する。
【００３７】
まず、気圧を高める場合には、ポンプ部５０を指で押し、空間５１を圧縮する。この圧縮により、空間５１に蓄えられていた空気は第２空気弁５３を押して空洞２１内に流出する。この際、第１空気弁５２は開かず、空間５１内の空気は空洞２１内にのみ流出する。次にユーザがポンプ部５０より指をはなすと、ポンプ５０部はその弾性力により元の形状に戻る。その際に第１空気弁５２が開いて外部より空間５１内に空気が流入する。これらの動作を繰り返し、ユーザは前グリップ１２内の圧を高める。
【００３８】
一方、気圧を低くする場合は、排気栓５５を開けて、空洞２１内の空気を外部に排出する。
【００３９】
このようにして、簡単な操作で短時間内にグリップの形状、弾性力を調整することができる。
【００４０】
なお、手元グリップ１３についても同様のポンプを設けて、グリップ内の圧力を調節することができる。
【００４１】
［第３実施形態］
以下、本発明の第３実施形態について図面を参照しつつ説明する。
【００４２】
図６において、前グリップ１２は、竿本体１１のグリップ相当部に形成された他の部分より太径のグリップ部６０と、グリップ部６０の外周面に配置されるグリップカバー６１とから形成されている。
【００４３】
グリップ部６０は流体を充填するための環状の空洞６２を有している。そして、この空洞６２を覆うようにグリップカバー６１が配置されている。グリップカバー６１は熱収縮性樹脂であって、例えば、ポリエチレン製樹脂等を用いることができる。グリップ部６０を形成した後にグリップカバー６１をその外周面に配置し、加熱処理して収縮させグリップ部６０に密着させた後、１対の固定リング６３，６４をかしめ、さらに接着剤を用いてグリップカバー６１の両端をグリップ部６０に確実に固定する。これにより、空洞６２内に充填された流体は密封される。
【００４４】
なお、注入部材６５、通路６６、及び空洞６２内の流体量の調整については、第１実施形態と同様である。
【００４５】
この第３の実施形態に係る釣竿グリップ構造においても、前記各実施形態と同様の効果が得られる。
【００４６】
［第４実施形態］
以下、本発明の第４実施形態について図面を参照しつつ説明する。
【００４７】
図７に示すように、前グリップ１２は、竿本体１１のグリップ部分に相当する部分（グリップ部）７０と、グリップ部７０の外周面に沿って配置されたグリップカバー７１とから形成される。
【００４８】
グリップカバー７１は、硬質ゴム製の筒状部材であり、内周面には、グリップ部７０との間に流体を蓄えるための空洞７２が形成されている。そして、このグリップカバー７１の竿先側の端部及び竿元側の端部は、グリップ部７０の外周面に接着剤により強固に接着されている。このようにして、空洞７２は密封されている。
【００４９】
なお、注入部材７５、通路７６、及び空洞７２内の流体量の調整については、第１実施形態と同様である。
【００５０】
この第４の実施形態に係る釣竿グリップにおいても、前記各実施形態と同様の効果を得られる。
【００５１】
［他の実施形態］
（ａ）チューブを透過性のある弾性体により成形し、内部の流体を目視できるようにすれば、流体量の調整を容易にすることができる。加えて、内部の流体に色素等により着色した液体等を用いれば、商品イメージに合わせて様々な色彩・模様等を表現でき、質感の向上も図ることができる。
【００５２】
（ｂ）流体の種類に合わせて、流体注入出器３０として電動式のポンプやエアコンプレッサー等を用いることも可能である。
【００５３】
（ｃ）前グリップ１２や手元グリップ１３を一旦成形した後に、これらグリップの表面に別の合成樹脂等を被覆し積層構造として、表面の手触り・滑りにくさ等を向上させることも可能である。
【００５４】
（ｄ）空洞内に、例えば炭酸カルシウムの粉末と、希塩酸とをそれぞれカプセルに納めて配置し、グリップを握りカプセルを押しつぶして物質を反応させることによって、空洞内に流体を発生させ、流体の量や圧力を調整することもできる。
【００５５】
【発明の効果】
本発明によれば、グリップの内部に流体を充填するための空洞を設けたので、空洞内の流体の量等を調整してグリップの弾性力等をユーザの好みに応じて調整できる。
【図面の簡単な説明】
【図１】  本発明の第１実施形態が採用された手元竿の側面部分図。
【図２】  前グリップの断面側面図。
【図３】  竿尻部の側面図。
【図４】  前グリップの一部および流体注入出器の断面側面図
【図５】  本発明の第２実施形態が採用された前グリップの断面側面図。
【図６】  本発明の第３実施形態が採用された前グリップの断面側面図。
【図７】  本発明の第４実施形態が採用された前グリップの断面側面図。
【符号の説明】
１１  竿本体
１２  前グリップ
１３  手元グリップ
２０  ベース部
２１，３１，６２，７２  空洞
２２，３２  チューブ
４０  流体注入出器
５０  ポンプ部
６０，７０  グリップ部
６１，７１  グリップカバー
【図１】
0003947259.tif 000002
【図２】
0003947259.tif 000003
【図３】
0003947259.tif 000004
【図４】
0003947259.tif 000005
【図５】
0003947259.tif 000006
【図６】
0003947259.tif 000007
【図７】
0003947259.tif 000008